【手続補正書】
【提出日】令和3年4月2日(2021.4.2)
【手続補正１】
【補正対象書類名】明細書
【補正対象項目名】００３７
【補正方法】変更
【補正の内容】
【００３７】  図６は、修復されるべき物理的な歯２１上に配置された物理的な製作された歯科修復物２０を示す。修復されるべき歯２１は、歯科修復物２０を受け取ることから製造される。これは、歯科医が、歯科修復物２０は、修復されるべき歯を、修復されるべき歯２１上に取り付けることを可能にする形状（典型的には残根）に研削したことを意味する。従来技術の方法以外では、修復されるべき支台歯形成された歯２１の形状は、歯科修復物の内形２２とは異なる。具体的には、歯科修復物２０は、修復されるべき支台歯形成された歯２１と組み合わせて、歯科材料、例えば歯科用セメントで充填された広い間隙を形成する。修復されるべき歯の支台歯形成は、歯科修復物の製作後に開始することができる。したがって、歯科修復物を患者に提供するための患者の治療は、歯科修復物の製造のために中断される必要はなく、１つの連続するプロセスで完了することができる。一般に、治療は、中断されて２つのセッションに分割された場合、より不便であると認識される。本発明の方法により、治療時間（任意の中断を含む）を最小限に抑えることができる。これは、本発明の方法を、特に小児歯科に適したものとする。  なお、以上の各実施形態に加えて以下の態様について付記する。  （付記１）  歯科修復物の製造方法であって、  少なくとも修復されるべき歯に隣接する領域において患者の歯の形状を捕捉することによって、前記修復されるべき歯のための歯科修復物の収容に利用可能な仮想空間を決定する工程と、  所定の仮想マスター歯科修復物表面をデータベースから取り出す工程と、  前記仮想マスター歯科修復物表面を三次元的に変換して仮想歯科修復物外側表面を提供することにより、前記仮想マスター歯科修復物表面を前記空間内に適合させる工程と、  前記修復されるべき歯の形状とは独立して、仮想歯科修復物内側表面を作製する工程と、  前記仮想歯科修復物外側表面と前記仮想歯科修復物内側表面との組み合わせに基づいて、歯科修復物の仮想モデルを提供する工程と、  前記歯科修復物モデルに基づいて前記歯科修復物を製作する工程と、を含む、方法。  （付記２）  前記仮想歯科修復物内側表面が、前記仮想歯科修復物外側表面に基づいて、コンピュータによって自動的に生成される、付記１に記載の方法。  （付記３）  前記仮想歯科修復物内側表面の少なくとも一部が、前記歯科修復物の壁厚を表すオフセット値に基づいて、前記仮想歯科修復物外側表面の対応する部分の三次元等距離縮小として生成される、付記１又は２に記載の方法。  （付記４）  前記壁厚が、０．３ｍｍ〜１．５ｍｍ、好ましくは０．５ｍｍである、付記３に記載の方法。  （付記５）  前記三次元変換が、前記仮想マスター歯科修復物表面の三次元的比例スケーリングにより実行される、付記１〜４のいずれか一項に記載の方法。  （付記６）  前記修復されるべき歯の任意の支台歯のマージンとは独立して、前記歯科修復物モデルの高さを決定する工程を更に含み、前記歯科修復物モデルが歯軸を有し、前記高さが、前記歯軸に沿った前記歯科修復物モデルの寸法によって画定される、付記１〜５のいずれか一項に記載の方法。  （付記７）  決定された歯科修復物の高さに基づいて前記歯科修復物モデルを仮想的���トリミングする工程を更に含む、付記５に記載の方法。  （付記８）  前記歯科修復物のための歯の色を決定する工程と、前記歯の色に基づいて製作される前記歯科修復物の歯科材料を提供する工程と、を更に含む、付記１〜７のいずれか一項に記載の方法。  （付記９）  前記歯科修復物が、光硬化性樹脂の３Ｄ印刷によって製作される、付記１〜８のいずれか一項に記載の方法。  （付記１０）  前記光硬化性樹脂が、反応性モノマー、光開始剤、任意選択的に無機充填剤、及び任意選択に添加剤を含む組成物をベースとする、付記９に記載の方法。  （付記１１）  完成した歯科修復物が、前記仮想歯科修復物外側表面の形状に対応する外形、又はその三次元的比例縮小若しくは比例拡大の外形を有する、付記１〜１０のいずれか一項に記載の方法。  （付記１２）  前記患者の歯の形状が、口腔内光学走査によって捕捉される、付記１〜１１のいずれか一項に記載の方法。  （付記１３）  （ｉ）少なくとも前記修復すべき歯に隣接する領域における前記患者の歯の形状と、（ｉｉ）前記仮想マスター歯科修復物表面と、を組み合わせて表示する工程を更に含み、前記空間への仮想マスター歯科修復物モデルの適合は、表示された（ｉ）と（ｉｉ）との組み合わせに基づいた光学制御によって使用者により実行される、付記１〜１２のいずれか一項に記載の方法。  （付記１４）  前記修復されるべき歯の任意の侵襲的治療の前に実行される、付記１〜１３のいずれか一項に記載の方法。  （付記１５）  少なくとも修復されるべき第２の歯に隣接する領域において患者の第２の歯の形状を捕捉することによって、前記修復されるべき第２の歯のための第２の歯科修復物の収容に利用可能な第２の仮想空間を決定する工程と、  同じ所定の仮想マスター歯科修復物表面を前記データベースから取り出す工程と、  前記仮想マスター歯科修復物モデルを三次元的に変換して第２の仮想歯科修復物外側表面を提供することにより、前記仮想マスター歯科修復物表面を前記第２の空間内に適合させる工程と、  前記修復されるべき第２の歯の形状とは独立して、第２の仮想歯科修復物内側表面を作製する工程と、  前記第２の仮想歯科修復物外側表面と前記第２の仮想歯科修復物内側表面との組み合わせに基づいて、第２の歯科修復物の仮想モデルを提供する工程と、  前記第２の歯科修復物モデルに基づいて前記第２の歯科修復物を製作する工程と、を含む、付記１〜１４のいずれか一項に記載の方法。
【手続補正２】
【補正対象書類名】特許請求の範囲
【補正対象項目名】全文
【補正方法】変更
【補正の内容】
【特許請求の範囲】
【請求項１】
歯科修復物の製造方法であって、  少なくとも修復されるべき歯に隣接する領域において患者の歯の形状を捕捉することによって、前記修復されるべき歯のための歯科修復物の収容に利用可能な仮想空間を決定する工程と、  所定の仮想マスター歯科修復物表面をデータベースから取り出す工程と、  前記仮想マスター歯科修復物表面を三次元的に変換して仮想歯科修復物外側表面を提供することにより、前記仮想マスター歯科修復物表面を前記空間内に適合させる工程と、  前記修復されるべき歯の形状とは独立して、仮想歯科修復物内側表面を作製する工程と、  前記仮想歯科修復物外側表面と前記仮想歯科修復物内側表面との組み合わせに基づいて、歯科修復物の仮想モデルを提供する工程と、  前記歯科修復物モデルに基づいて前記歯科修復物を製作する工程と、を含む、方法。
【請求項２】
前記仮想歯科修復物内側表面が、前記仮想歯科修復物外側表面に基づいて、コンピュータによって自動的に生成される、請求項１に記載の方法。
【請求項３】
前記仮想歯科修復物内側表面の少なくとも一部が、前記歯科修復物の壁厚を表すオフセット値に基づいて、前記仮想歯科修復物外側表面の対応する部分の三次元等距離縮小として生成される、請求項１又は２に記載の方法。
【請求項４】
前記壁厚が、０．３ｍｍ〜１．５ｍｍの範囲内にある、請求項３に記載の方法。
【請求項５】
前記三次元変換が、前記仮想マスター歯科修復物表面の三次元的比例スケーリングにより実行される、請求項１〜４のいずれか一項に記載の方法。
【請求項６】
前記修復されるべき歯の任意の支台歯のマージンとは独立して、前記歯科修復物モデルの高さを決定する工程を更に含み、前記歯科修復物モデルが歯軸を有し、前記高さが、前記歯軸に沿った前記歯科修復物モデルの寸法によって画定される、請求項１〜５のいずれか一項に記載の方法。